(57)【要約】【課題】従来、糖尿病を治療するには厳しい食事管理と化学療法が行われてきた。リュウマチについても化学療法が主たる治療方法であった。この化学療法は、患者が常に服薬という煩わしさを負担せねばなせず、副作用という肉体的負担のみならず精神的負担も無視できないものがあった。そこで本発明では、まったく新しい発想により、糖尿病やリュウマチ患者を服薬という煩わしさから解放しようというものである。【解決手段】本発明は、高地気圧環境を平地で実現するための低圧室に、繰り返し入退室することにより、糖尿病で麻痺した手足の感覚を回復する糖尿病治療装置であることを特徴とし、又、高地気圧環境を平地で実現するための低圧室に繰り返し入退室することにより、リュウマチで機能しなくなった手足の屈伸性を回復するリュウマチ治療装置であることを特徴とする。【選択図】  図１
2007075552.tif 000002
【特許請求の範囲】
【請求項１】
高地気圧環境を平地で実現するための低圧室に繰り返し入退室することにより、糖尿病で麻痺した手足の感覚を回復することを特徴とする糖尿病治療装置。
【請求項２】
高地気圧環境を平地で実現するための低圧室に繰り返し入退室することにより、リュウマチで機能しなくなった手足の屈伸性を回復することを特徴とする請求項１記載の糖尿病治療装置。
【発明の詳細な説明】
【技術分野】
【０００１】本発明は、疾病によって損なわれた機能を治療によって回復せしめる医学分野に関するものである。
【背景技術】
【０００２】
【特許文献１】従来、糖尿病に関する特許出願は、特開２００４−０００４６１ではインスリンを注入する装置、特開２００２−２５５７９５では経鼻投与用組成物、特開２００２−２５５７９４では均一に多回投与可能な経鼻投与用組成物、特開平０８−０５９４５９では前脂肪細胞の分化を刺激する組成物と方法、及びこれに関連する治療処置方法、特開平０６−３０６０９８では新規なアンジオペプチンシクロペプチド化合物、それらの調製方法及びそれらを含む医薬組成物、特公表２００５−５２２４１８では徐放性医薬組成物、特公表２００５−５２０８６０ではプロブコール誘導体、特公表２００５−５１０２６１ではホルダ及び薬剤容器を含む薬剤送出装置、等々が提案されている。
【特許文献２】また、特開２００５−１３１３９３では光学的に識別可能な眼の症状の診断のための装置及び方法、特開２００４−３５８０２２では脈波解析法、この解析法に基づく自律神経機能評価法及び自律神経機能評価装置、特開２００４−１５４５６３では患者の診断及び治療におけるデータ管理のための方法及びシステム、特開２００４−０６５８２８では糖尿病予防支援／糖尿病治療支援システム、特開２００４−０４１７１３ではニューラルネットワーク関連アプリケーションを使用して医療診断テスト及び生化学診断テストを選択する方法、特開２００２−１７１８６５では内臓疾患実験動物モデル、その作製方法及びそれを用いた薬物の評価方法、特開２００１−２６４３３６では自己血糖検査手段、等々が提案されている。
【特許文献３】また、特開２００５−０４９６７１では健康教育装置、健康教育方法、及び健康教育プログラム、並びに健康教育システム、特開２００４−１５７５９６では健康管理システム及び健康管理方法、特開平０８−１４０９４４では慢性疾患患者自己管理支援システム、特公表２００４−５３０９７１では慢性疾患のアウトカム、教育、及び連絡のためのシステム、特公表２００４−５１９０３１では個人用状況管理システム、等々が提案されている。
【特許文献４】また、特開２００５−２３０５６７では波動治療方法及び装置、が提案されている。
【特許文献５】また従来、リュウマチに関する特許では、特公表２００４−５３２６１６では二本鎖ＲＮＡ仲介遺伝子抑制、特公表２００３−５３５１３６では治療効果のある物質−ＩＩＩ、特公表２００３−５３２７２５ではオルト置換アントラニル酸アミド及び医薬剤としてのオルト置換アントラニル酸アミドの使用、特公表２００２−５３３７２３では結合相手を検出するための検定法、特公表２００２−５０４１５３では結晶性ロキシフィバン、等々が提案されている。
【非特許文献１】また、実用新案公開平０６−０８３０２１では打たせ湯装置、が提案されている。
【０００３】これらの提案を精査してみると、特許文献１では、糖尿病に関する化学組成物及びそれを用いた治療方法並びに薬剤送達方法が、又、特許文献２では、糖尿病に関する種々の評価診断方法及び装置並びにシステムが、又、特許文献３では、糖尿病患者に対する種々の支援方法及びシステムが、又、特許文献４では、糖尿病に関する物理的治療方法１件がそれぞれ提案されているが、これらは何れも従来発想の延長線上にある。【０００４】また、特許文献５では、リュウマチに関する遺伝子抑制という新たな提案がなされているものの、その他の提案は従来発想の延長線上にあるといわざるを得ない。非特許文献１では、打たせ湯装置という古くて新しい提案がなされたが、画期的というにはほど遠いものがある。
【発明の開示】
【発明が解決しようとする課題】
【０００５】従来、糖尿病を治療するには厳しい食事管理と化学療法が行われてきた。リュウマチについても化学療法が主たる治療方法であった。この化学療法は、患者が常に服薬という煩わしさを負担せねばなせず、副作用という肉体的負担のみならず精神的負担も無視できないものがあった。そこで本発明では、まったく新しい発想により、糖尿病やリュウマチ患者を服薬という煩わしさから解放しようというものである。
【課題を解決するための手段】
【０００６】本発明は、高地気圧環境を平地で実現するための低圧室に、繰り返し入退室することにより、糖尿病で麻痺した手足の感覚を回復する糖尿病治療装置であることを特徴とし、又、高地気圧環境を平地で実現するための低圧室に繰り返し入退室することにより、リュウマチで機能しなくなった手足の屈伸性を回復するリュウマチ治療装置であることを特徴とする。
【発明の効果】
【０００７】本発明の治療装置に、糖尿病患者が毎日１回の頻度で１ヶ月間連続して入室したところ、糖尿病の合併症で麻痺した手足の感覚が、先ず初めに手の感覚が正常に戻り、次いで足の感覚も正常に戻った。また、リュウマチ患者が毎日１回の頻度で１ヶ月間連続して本発明の治療装置に入室したところ、これまで曲がらなかった足腰が痛みを感じることなくスムーズに曲がるようになった。
【発明を実施するための最良の形態】
【０００８】本発明の糖尿病治療装置の最良の形態について説明する。本発明の糖尿病治療装置は、筐体と、減圧を発生する減圧発生装置と、過減圧を防止する過減圧防止装置で構成する。筐体は減圧に耐え得る強度を有し、且つ、少なくとも人一人が入室できるスペースを有し、減圧発生装置は減圧ポンプと圧力制御装置と圧力センサー及び圧力調節弁で構成し、過減圧防止装置は上述の圧力制御装置と電気的に連携する過減圧防止弁で構成することを特徴とする。
【実施例】
【０００９】図１に本発明を適用した糖尿病治療装置を示す。治療装置本体１は、基準筐体２と延長筐体３及びドアプレート４で構成し、該治療装置本体１の延長筐体３に設けてなる排気口２４と減圧ポンプ５の吸気口２５とが配管接続される。次に、延長筐体３に設けてなる排気口２４と対抗する基本筐体２には吸気口６乃至１０が設けてなり、該吸気口には圧力調節弁１１、過減圧防止弁１２、室外非常弁１３、室内非常弁１４及び空気量調節弁１５がそれぞれ配管接続される。さらに、これらの弁１１乃至１５は、活性炭フィルター２１と接続するＨＥＰＡフィルター２２のフィルター口１６乃至２０とそれぞれ配管接続される。【００１０】次に、本発明を適用した糖尿病治療装置の使用方法について説明する。糖尿病患者は治療装置本体１のドアプレート４を開けて本体に入室する。減圧ポンプ５を起動すると、外気が活性炭フィルター２１及びＨＥＰＡフィルター２２を通過し、フィルター口２０と配管接続する吸気口１０に設けてなる空気量調節弁１５から治療装置本体１に連続的に流入する。このとき、空気量調節弁１５を絞ると、流入する空気の管摩擦損失により治療装置本体１の内圧が徐々に低下する。さらに、減圧ポンプ５運転を続行すると内圧はさらに低下し、圧力制御装置２７に内蔵する圧力設定器（図示せず）の設定値に到達する。内圧が圧力設定器の設定値に到達すると、圧力制御弁１１が作動して内圧を一定圧力に保持し、同時に該圧力制御装置２７内蔵のタイマー（図示せず）も作動する。さらに、タイマー設定時間を経過すると減圧ポンプ５が停止し、上述の空気量調節弁１５から外気が流入して内圧は徐々に大気圧に復圧する。【００１１】次に、本発明を適用した糖尿病治療装置の仕様について説明する。治療装置本体は、鋼板製角形筐体であり、外形寸法は幅、奥行き、高さがそれぞれ１５００ｍｍ、１０００ｍｍ、１９００ｍｍである。又、減圧ポンプはオリオン機械（株）製ＫＲＸ３−ＳＳ−４００２−Ｇ１を使用した。因みに、本減圧ポンプの最大排気能力は毎分０．２３５立方メートルであり、常用真空度は６０ｋＰａである。【００１２】次に、本発明を適用した糖尿病治療装置の行程について説明する。本装置の行程は、平地の気圧環境から高地の気圧環境へ減圧する減圧行程、及び、高地の気圧環境から平地の気圧環境へ復圧する復圧行程からなる。減圧行程での到達圧力は５００ｈＰａであり、その気圧値の近辺がヒトのヘモグロビンの酸素乖離特性による低酸素防御効果が最大値を示し、且つ、高山病を惹起しない安全な気圧だからである。
【産業上の利用可能性】
【００１３】本発明により、これまで通院を余儀なくされていた糖尿病患者やリュウマチ患者は、通院や服薬の煩わしさから解放され新しい治療方法を選択できるようになった。又、病院サイドも、本治療装置を病院内に設置することにより、従来の治療法に加えて新しい治療方法を患者に提案することができ、患者自身にとっても病院にとっても治療方法を選択する自由度が広がった。
【図面の簡単な説明】
【００１４】
【図１】に本発明を適用した糖尿病治療装置の構成図を示す。
【符号の説明】
【００１５】１  治療装置本体                        ２  基本筐体
３  延長筐体                            ４  ドアプレート
５  減圧ポンプ                          ６  吸気口
７  吸気口                              ８  吸気口
９  吸気口                              １０  吸気口
１１  圧力制御弁                        １２  過減圧防止弁
１３  室外非常弁                        １４  室内非常弁
１５  空気量調節弁                      １６  フィルター口
１７  フィルター口                      １８  フィルター口
１９  フィルター口                      ２０  フィルター口
２１  活性炭フィルター                  ２２  ＨＥＰＡフィルター
２３  圧力センサー                      ２４  排気口
２５  減圧ポンプ吸気口                  ２６  減圧ポンプ排気口
２７  圧力制御装置
【図１】
2007075552.tif 000003